(57)【特許請求の範囲】
【請求項１】
布地にマークシートを用いて絵画を施す処理方法であって、裏面に粘着層を有する多種色彩のマークシートを任意形状に裁断して多数の色彩布片を設ける第１工程と、処理すべき絵画原図の上面に透明板を重ね、透明板の表面に原図の色彩に合せて色彩布片を貼着し、色彩布片が連続した絵画パターンを制作する第２工程と、絵画パターンを透明板の表面から剥離する第３工程と、剥離した絵画パターンを布地に圧着する第４工程とを連続して行う事を特徴とするマークシートを用いた絵画処方法。
【請求項２】
布地が、スポーツウェアー、スーツ等の被服或いは袋物、ハンカチーフ、ネクタイ、ネッカチーフ、暖簾その他の布製品又は布製品を構成する布地である請求項１記載のマークシートを用いた絵画処理方法。
【請求項３】
色彩布片が、丸形、楕円形、角形、矩形、多角形、星型、帯状その他の任意形状に裁断されている請求項１記載のマークシートを用いた絵画処理方法。
【発明の詳細な説明】
【０００１】
【産業上の利用分野】
この発明は、例えば、被服乃至被服を縫製する布地、又は、美術用画材或いは壁面等にマークシートを用いて絵画を処理する方法に関する。
【０００２】
【従来の技術】
従来、この種の絵画処理として、例えば、被服の装飾にはアップリケ装飾が使用され、又学習用では貼り絵、切り絵が挙げられる。
【０００３】
【発明が解決しようとする課題】
上記、被服のアップリケ装飾は、被服地にワッペン状の装飾布を単に縫い着ける方法で、仕上がりが平面的で斬新性に欠ける。学習用の貼り絵、切り絵は、単に、画材表面に描かれた下絵に対して色紙片を貼りつけるだけのため学習の斬新性に欠ける。然も、下絵の書き直し及び色紙片の貼り直し等によって新鮮さが得られない等の問題があった。
【０００４】
このため、最近、アパレル業界および文具業界に於いて、布地、紙その他のシート表面に、立体感および斬新性に富む装飾的絵画を処理できる方法の出現が強く要望されているが、現在、そのような方法は存在しない。
【０００５】
そこで、この発明は極めて簡単な手段により上記の要望を満足し、布地、紙その他のシート表面に対し、立体感が有り且つ斬新性に富む装飾絵画を処理し得、被服装飾の豪華さ及び斬新性を向上し、学習用絵画の新たな教材として有効な新規な絵画処理方法を提供するものである。
【０００６】
【課題を解決するための手段】
上記の目的を達成するための、この発明の手段を説明すると、この発明は布地、紙その他のシート、壁面等にマークシートを用いて絵画を施す新規な絵画処理方法であって、裏面に粘着層を有す多種色彩のマークシートを任意形状に裁断して多色の色彩布片を設ける第１工程と、処理すべき絵画原図の上面に透明板を重合し、透明板の表面に原図の色彩に合せて色彩布片を貼着し、色彩布片が連続した絵画パターンを製作する第２工程と、透明板の表面から絵画パターンを剥離する第３工程と、剥離した絵画パターンを布地、紙その他のシート、壁面等の対象物表面に圧着する第４工程とを連続して行うものである。
【０００７】
【作用】
この発明は上記の如く、絵画原図の上側に透明板を重合し、この透明板の表面に絵画原図の色彩に合わせてマークシートを裁断した色彩布片を貼り付けて絵画パターンを製作するから、立体感および奥行き、深みの有る優美な絵画に仕上げ得る。上記、透明板表面の絵画パターンを剥離し、この絵画パターンを被服乃至被服用布地または紙或いはシート、壁面その他の絵画処理対象物の表面に圧着するだけのため、特に、被服の装飾に於いては、装飾の豪華さ及び斬新性を一段と向上する。然も、学習に於いては新規な絵画教育として優れた効果を発揮する等、構成簡単にして発明目的を達成した実用上の効果を奏する。
【０００８】
【実施例】
図１は、この発明に係る絵画処理方法を被服に実施した一例を示す正面図。図２は、図１中Ａ−Ａ線に沿う拡大断面図。図３乃至図１０は、絵画処理方法の実施状況の説明図であって、図３は、絵画原図の平面図。図４は、マークシートを裁断した色彩布片の断面図。図５は、絵画原図の上側に透明板を重合した状態の平面図。図６は、図５中Ｂ−Ｂ線に沿う断面図。図７は、透明板の表面に色彩布片を貼着して絵画パターンを作る状況の断面図。図８は、透明板から剥離した絵画パターンの断面図。図９は、図８中Ｃ−Ｃ線に沿う拡大断面図。図１０は、絵画パターンを被服布地の表面に圧着した状態の拡大断面図。
【０００９】
本発明の絵画処理方法の実施には、透明板１を準備する。この透明板１には、ガラス板或いは耐熱表面処理を施した樹脂透明板が好適する。又、図３に示した絵画原図２を用意する。絵画原図２は、実際の絵画或いは写真等を見て描いたスケッチであって、このスケッチ作成に使用した写真の色彩に色彩マークシートを対応させる。
【００１０】
マークシートは、スポーツユニホームのチームマーク等に適用される公知の化学繊維製のカラーシートであって、赤色、青色、黄色、黒色、緑色、その他の必要な色彩シートを用意する。色彩シートの裏面には粘着層３１が処理されている。
【００１１】
実施に際しては、先ず、第１工程に於いて、前記色彩シートから、例えば円形、角形、星形その他型紙を用いて絵画原図の細部に合わせた多数の色彩布片３を裁断或いは打ち抜き等によって得る（図４）。
【００１２】
次いで、第２工程に於いて、図５に示す如く絵画原図２の上面に透明板１を重合した後、透明板１の表面に下側の絵画原図２の色彩に合せて色彩布片３を貼着し、色彩布片３が連続した絵画パターン３ａを製作する（図７）。
【００１３】
第３工程に於いて、透明板１の表面から絵画パターン３ａを剥離した後、剥離した絵画パターン３ａ（図８）を被服または被服用布地４或いは紙その他のシート、壁面等の対象物表面に圧着し（図１０）、絵画処理を終了する。
【００１４】
本発明の絵画処理を布地４に適用する場合、スポーツウエァー、スーツ等の被服或いは袋物、ハンカチーフ、ネクタイ、ネッカチーフ、暖簾その他諸々の布製品に選択実施することは勿論である。
【００１５】
尚、色彩布片３には、必要に応じて熱具を用いて筋模様及び皺模様を描き、絵画を微細に仕上げることができる。
【００１６】
【発明の効果】
この発明は上記の如く、絵画原図の上側に透明板を重合し、この透明板の表面に下側原図の色彩に合わせてマークシートを裁断した色彩布片を貼り付けて絵画パターンを製作するから、絵画パターンは、立体感および奥行き、深みの有る優美な絵画となる。上記、透明板表面の絵画パターンを剥離し、この絵画パターンを被服乃至被服用布地または紙或いはシート、壁面その他の絵画処理対象物の表面に圧着するから、特に、被服の装飾に於いては、装飾の斬新性を向上する。然も、学習に於いては新規な絵画教育として優れた効果を発揮する等、構成簡単にして発明目的を達成した実用上の効果を奏する。
【図面の簡単な説明】
【図１】この発明の絵画処理法を被服に実施した一例を示す正面図である。
【図２】図１中Ａ−Ａ線に沿う拡大断面図である。
【図３】絵画原図の平面図である。
【図４】マークシートを裁断した色彩布片の断面図である。
【図５】絵画原図の上側に透明板を重ねた状態の平面図である。
【図６】図５中Ｂ−Ｂ線に沿う断面図である。
【図７】透明板の表面に色彩布片を粘着して絵画パターンを作る状況の断面図である。
【図８】透明板から剥離した絵画パターンの断面図である。
【図９】図８中Ｃ−Ｃ線沿う拡大断面図である。
【図１０】絵画パターンを被服布地の表面に圧着した状態の拡大断面図である。
【符号の説明】
１、透明板
２、絵画原図
３、色彩布片
３ａ、絵画パターン
３１、粘着層
４、布地
【図１】
0004345092.tif 000002
【図２】
0004345092.tif 000003
【図３】
0004345092.tif 000004
【図４】
0004345092.tif 000005
【図５】
0004345092.tif 000006
【図６】
0004345092.tif 000007
【図７】
0004345092.tif 000008
【図８】
0004345092.tif 000009
【図９】
0004345092.tif 000010
【図１０】
0004345092.tif 000011